(57)【要約】【課題】セキュリティセンサーからの音声または音響や発光などの出力を呼び出された電話機から容易に行えるセキュリティシステムを提供することを目的とする。【解決手段】セキュリティセンサー１より検知信号が出力された時に中継器２が予め登録された電話機５を通信網３を介して呼び出して所定のメッセージを通報し、前記中継器２は前記電話機５のキー入力を受信することにより前記セキュリティセンサー１へ警報信号を出力する指示を行い、前記セキュリティセンサー１は前記中継器２からの指示により警報出力を行うものである。これによって、セキュリティセンサー１を設置しておけば、電話機５からの指示によってセキュリティセンサー１から警報出力することができる。【選択図】図１
2006060359.tif 000002
【特許請求の範囲】
【請求項１】
警戒区域に出入りする人を検知して検知信号を出力し音声出力を行う１台以上のセキュリティセンサーと、前記セキュリティセンサーを登録して警戒モードが設定されかつ前記検知信号が出力された時に通信網を介して予め登録された通信機を呼び出して所定のメッセージを通報する中継器とで構成し、前記中継器は前記通信機のキー入力を受信することにより前記セキュリティセンサーへ警報信号を出力する指示を行い、前記セキュリティセンサーは前記中継器からの指示により警報出力を行うことを特徴とするセキュリティシステム。
【請求項２】
中継器が、通信機の特定の入力キーにより音声出力を指示するセキュリティセンサーを選択することを特徴とする請求項１記載のセキュリティシステム。
【請求項３】
中継器が、通信機の特定の入力キーにより登録されている全てのセキュリティセンサーへ警報出力を指示することを特徴とする請求項１記載のセキュリティシステム。
【請求項４】
中継器が、通信機の特定の入力キーにより登録されている全てのセキュリティセンサーへ前記通信機からの送話音の音声出力を指示することを特徴とする請求項１記載のセキュリティシステム。
【請求項５】
中継器が、予め登録された通信機の特定の入力キーにより登録されている全てのセキュリティセンサーへ警報出力の停止を指示することを特徴とする請求項１記載のセキュリティシステム。
【請求項６】
請求項１〜５のいずれか１項に記載のセキュリティシステムにおける機能の少なくとも一部をコンピュータに実行させるためのプログラム。
【発明の詳細な説明】
【技術分野】
【０００１】
本発明は、侵入者を検知して通報すると共に、通報先から威嚇制御を行うセキュリティシステムに関するものである。
【背景技術】
【０００２】
一般に、セキュリティシステムにおいて、警戒区域に出入りする人の動きや扉、窓の開閉を検知して検知信号を出力するセキュリティセンサーと、警戒モードが設定されかつ前記検知信号が出力された時に、あらかじめ登録された通信機を通信網を介して呼び出し、所定のメッセージを通報する通報手段を備え、さらに呼び出された通信機より前記警戒区域に備えられた音響出力装置より音声または音響を出力することが行われている（例えば、特許文献１参照）。
【特許文献１】特開２００３−０３２３７７号公報
【発明の開示】
【発明が解決しようとする課題】
【０００３】
しかしながら、前記従来の方法では、セキュリティセンサーとは別に音響出力装置を警戒区域に備える必要があり、場所と設置の手間が必要であるという課題があった。
【０００４】
本発明は、前記従来の課題を解決するもので、セキュリティセンサーからの音声または音響や発光などの警報出力を呼び出された通信機から容易かつ効果的に行えるセキュリティシステムを提供することを目的とする。
【課題を解決するための手段】
【０００５】
前記従来の課題を解決するために、セキュリティセンサーより検知信号が出力された時に中継器が通信網を介して予め登録された通信機を呼び出して所定のメッセージを通報し、前記中継器は前記通信機のキー入力を受信することにより前記セキュリティセンサーへ警報信号を出力する指示を行い、前記セキュリティセンサーは前記中継器からの指示により警報出力を行うものである。
【０００６】
これによって、セキュリティセンサーを設置するだけで、通信機からの指示によってセキュリティセンサーから警報出力することができる。
【発明の効果】
【０００７】
本発明のセキュリティシステムは、検知機器からの音声または音響や発光などの警報出力を呼び出された通信機から容易に行うことができる。
【発明を実施するための最良の形態】
【０００８】
第１の発明は、警戒区域に出入りする人を検知して検知信号を出力し警報出力を行う１台以上のセキュリティセンサーと、前記セキュリティセンサーを登録して警戒モードが設定されかつ前記検知信号が出力された時に通信網を介して予め登録された通信機を呼び出して所定のメッセージを通報する中継器とで構成し、前記中継器は前記通信機のキー入力を受信することにより前記セキュリティセンサーへ警報信号を出力する指示を行い、前記セキュリティセンサーは前記中継器からの指示により警報出力を行うこととすることにより、通信機のキー入力によってセキュリティセンサーから警報出力されるので、侵入者に対してよりすばやく威嚇を行うことができる。
【０００９】
第２の発明は、特に、第１の発明において中継器は、通信機の特定の入力キーにより警報出力を指示するセキュリティセンサーを選択することにより、任意の場所のセキュリティセンサーから警報出力を行うので、侵入者の近くと思われる場所を選んで威嚇警報を行うことができる。
【００１０】
第３の発明は、特に、第１の発明において、中継器は、通信機の特定の入力キーにより登録されている全てのセキュリティセンサーへ警報出力を指示することにより、遠隔の通信機である携帯電話のキーを押すことで複数のセキュリティセンサーから警報出力を行うことので、遠隔地から家じゅうの場所に対して警報出力を行うことができる。
【００１１】
第４の発明は、特に、第１の発明において、中継器は、通信機の特定の入力キーにより登録されている全てのセキュリティセンサーへ前記機からの送話音の音声出力を指示することにより、任意の音声を遠隔地からセキュリティセンサーを介して送出することができる。
【００１２】
第５の発明は、特に、第１の発明において、中継器は、予め登録された通信機の特定の入力キーにより登録されている全てのセキュリティセンサーへ警報出力の停止を指示することにより、セキュリティセンサーや中継器の周りの周辺音を通信機から確認するときに特に警報音を止めて聞くことができる。
【００１３】
第６の発明は、特に、第１〜第５のいずれか１つの発明のセキュリティセンサーまたは中継器における機能の少なくとも一部をコンピュータに実行させるためのプログラムとすることにより、記録媒体や通信回たな仕様変更に対応できる。
【００１４】
以下、本発明の実施の形態について、図面を参照しながら説明する。なお、本実施の形態によって本発明が限定されるものではない。
【００１５】
（実施の形態１）
図１は本発明の実施の形態１におけるセキュリティシステムの全体構成を示す図、図２はセキュリティセンサーのブロック図、図３は中継器のブロック図である。
【００１６】
図１において、セキュリティセンサー１は、人の動きを赤外線等を利用して検出する人感センサーや扉や窓の開閉を検出する開閉センサーなどで侵入検知を行う。中継器２は、セキュリティセンサー１が検出した侵入検知を電話回線３を介して携帯電話用の基地局４より携帯電話５へ通知する。もちろん携帯電話５はＤＴＭＦ信号を送出できれば通常の電話機でも構わない。
【００１７】
図２は、セキュリティセンサー１のブロック構成図で、侵入検出部１１は人の動きを赤外線等を利用して検出する赤外線センサーモジュールや接点スイッチやマグネットスイッチで構成された開閉スイッチで構成され、センサー制御部１２は侵入検出部１１より侵入検出信号を受信するとセンサー無線通信部１３を介して中継器２へ侵入検知を通知する。また、センサー音声出力部１４は警報出力の一手段でスピーカーやブザーで構成してセンサー制御部１２からの信号を音声で出力する。なお、セキュリティセンサー１は建物内に複数を設置してもよい。
【００１８】
図３は、中継器２のブロック構成図で、中継器無線通信部２１はセキュリティセンサー１と無線通信を行うための信号の変換や送受信を行い、中継器制御部２２はセキュリティセンサー１からの入検出信号を受信すると中継器回線通信部２３を介して電話回線３から携帯電話５へ侵入検知を通知し、中継器音声出力部２４は警報出力の一手段でスピーカーやブザーなどで構成して中継器制御部２２からの信号を音声で出力し、中継器表示部２５は警戒モードや侵入検知状態を表示し、中継器操作部２６は警戒モードの設定や確認や表示内容の切替要求をユーザが入力することで中継器制御部２２へ通知し、中継器音声入力部２７はマイク等によって中継器２の周辺の音声を入力して電話回線３を介して携帯電話５へ通知する。
【００１９】
次に、以上のように構成されたセキュリティシステムについて図１から図３をもとに説明する。
【００２０】
まず、外出時に中継器２を侵入警戒モードに設定しておく。警戒モードの設定は、中継器２の中継器操作部２６のキーやタッチパネルからの入力や携帯電話５からの操作によって行う。
【００２１】
セキュリティセンサー１の侵入検出部１１が侵入を検知してセンサー制御部１２が侵入検出信号を受信すると、センサー無線通信部１３を介して中継器２へ侵入検知を通知する。
【００２２】
中継器２は、セキュリティセンサー１より侵入検出信号を受信すると、中継器音声出力部２４より侵入検知の警報音を鳴らす。さらに、中継器回線通信部２３を介して電話回線３で携帯電話５へ電話をかけ、携帯電話５によって侵入検知を音声で通知する。
【００２３】
携帯電話５から侵入検知を音声で通知されると、携帯電話５の“＃”キーを押下することによって携帯電話５より中継器２へ“＃”のＤＴＭＦ信号が通知され、中継器２では“＃”信号を受信したことによって中継器音声出力部２４からの警報音を停止して中継器音声入力部２７によって中継器２の周辺の音声を受けて携帯電話５へ通知する。これによって、携帯電話５で中継器２の周辺の音声をモニタして確認することができる。
【００２４】
同様に、携帯電話５の“＊”キーを押下することによって携帯電話５より中継器２へ“＊”のＤＴＭＦ信号が通知され、中継器２では“＊”信号を受信したことによって中継器音声出力部２４からの警報音を停止して携帯電話５で話す声を中継器音声出力部２４によって中継器２から送出する。これによって、携帯電話５のマイクから中継器２を介して侵入者に対して威嚇することができる。
【００２５】
さらに、携帯電話５の数字キー（例えば“１”）を押下することによって携帯電話５より中継器２へ“１”のＤＴＭＦ信号が通知され、中継器２では“１”信号を受信したことによって中継器無線通信部２１を介してセキュリティセンサー１へ警報音の吹鳴を要求する。セキュリティセンサー１では中継器２からの警報音の吹鳴の要求を受信してセンサー音声出力部１４によって警報音を鳴らす。さらに、複数のセキュリティセンサー１が設置されていた場合は全てのセキュリティセンサー１に対して警報音の吹鳴要求を行うこととすれば、侵入地点だけでなく家じゅうで警報音を鳴らすことができる。
【００２６】
以上のように、遠隔の電話機である携帯電話のキーを押すことで複数のセキュリティセンサーから警報音を鳴らすことができる。これにより、遠隔地から家じゅうの場所に対して警報音を鳴らすことができる。
【００２７】
なお、本実施の形態ではセキュリティセンサー１は、侵入検知したときは中継器２へ侵入検知を通知するだけとしたが、侵入検知した時点または一定時間後に制御部１２より音声出力部１４へ指示を行い、警報音を一定時間鳴らすこととすればより早く侵入に対しての威嚇動作を行うことができる。この場合、携帯電話５の特定のキー“＃”や“＊”の押下で停止する警報音は中継器２からの警報音のみでなくセキュリティセンサー１からの警報音も停止することとすれば、セキュリティセンサー１や中継器２の周辺音を携帯電話５からモニタする場合により確認しやすくなる。
【００２８】
また、携帯電話５でのモニタはセキュリティセンサー１に音声入力手段を備えれば、セキュリティセンサー１のある場所を携帯電話１のキー操作（例えば“＃１”でセキュリティセンサー１ａを選択）でセキュリティセンサー１の音声入力手段からの周辺音が携帯電話５で聞けることとすれば、侵入検知した場所や心配な場所の音声モニタが可能になる。
【００２９】
また、警報音を鳴らすセキュリティセンサー１を携帯電話５の押下するキーによって選択することとすれば、任意の場所のセキュリティセンサー１から警報音を鳴らすことができるので、侵入者の近くと思われる場所を選んで威嚇警報を行うことができる。
【００３０】
また、セキュリティセンサー１からの警報音は中継器２からの指示によりセキュリティセンサー１で記憶した警報音を出力することとしたが、中継器２に記憶した警報音や警報文言をセキュリティセンサー１へ送信することとすれば、さらに色々な警報を行うことができるし、遠隔の携帯電話５の送話を中継器２を介してセキュリティセンサーへ送信して、セキュリティセンサー１より出力することとすれば、任意の音声を遠隔地からセキュリティセンサーを介して送出することができる。
【００３１】
また、本実施の形態では携帯電話５からのセキュリティセンサー１への音声出力の制御を電話回線によるキー押下でのＤＴＭＦ信号の通知によるとしたが、携帯電話５やパソコンを用いたインターネット通信によってＷｅｂ画面からセキュリティセンサー１への警報音の吹鳴要求を選択することで中継器２へ制御信号を通知して、中継器２からセキュリティセンサー１へ警報音を鳴らす要求を送出することとすれば、警報時間、警報間隔、警報音の選択などの細かい切替も容易に行うことができる。
【００３２】
また、本実施の形態ではセキュリティセンサー１と中継器２とが無線で通信する構成としたが、有線で接続して通信することとすれば、セキュリティセンサー１の電源の供給を中継器から行ったりすることで電源の一括管理を行ったりすることができるし、無線回路が不要になるので、配線が可能な場所では非常に有効である。
【００３３】
また、本実施の形態では中継器２と携帯電話５を接続する通信網を電話回線３としたが、通信網をインターネットとすれば、ＩＰ電話によって中継器２からインターネット経由で携帯電話５へ電話をかけたり、サーバへデータを転送してサーバより携帯電話５へ電話をかけたりメールを送信することで携帯電話５との通信を行うことができるので、通信網は電話回線に限らないし、また有線回線でなく無線通信とすれば、中継器２を有線通信網の場所に関係なく設置できるので、設置場所が自由になる。
【００３４】
また携帯電話の代わりに個人のパソコンや携帯情報端末などの通信装置であればよい。
【００３５】
また、本実施の形態ではセキュリティセンサー１や中継器２からの警報出力として音声や音響出力を行うこととしたが、フラッシュライトなどの威嚇動作のできる方法であれば音である必要はない。
【００３６】
なお、本実施の形態で説明した手段（部）は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００３７】
本発明のセキュリティシステムは、侵入に対して遠隔の通信機から威嚇指示をセキュリティセンサーを通じて送出することができるので、侵入検知時の警報装置などに適用できる。
【図面の簡単な説明】
【００３８】
【図１】本発明の実施の形態１におけるセキュリティシステムの構成図
【図２】同セキュリティシステムのセキュリティセンサーのブロック図
【図３】同セキュリティシステムの中継器のブロック図
【符号の説明】
【００３９】
１  セキュリティセンサー
２  中継器
３  電話回線
４  基地局
５  携帯電話（通信機）
１１  侵入検出部
１２  センサー制御部
１３  センサー無線通信部
１４  センサー音声出力部
２１  中継器無線通信部
２２  中継器制御部
２３  中継器回線通信部
２４  中継器音声出力部
２５  中継器表示部
２６  中継器操作部
２７  中継器音声入力部
【図１】
2006060359.tif 000003
【図２】
2006060359.tif 000004
【図３】
2006060359.tif 000005